(57)【要約】      （修正有）【課題】衣類の肩部に通されるアームに折畳構造が設けられているハンガーについて、構造が簡素で製造コストが低くなるようにする。【解決手段】衣類の肩部を通すアーム１に折畳構造が設けられている。アーム１の折畳状態を弾圧保持するバネ材６，７と、アーム１の展開状態をロックするロック部材５と、アーム１の折畳，展開の変位を案内するリンク部材３とを備えている。アーム１は、長さ方向の中央部で２つ割に切断され切断端部に長さ方向と直交する上下方向に延びた拡張部１３，１４が設けられ、切断されたアームの半部１１，１２は拡張部１３，１４の下端部で共通の回転軸２によって回動可能に連結されている。リンク部材３は、支軸３１によって回動可能に連結された１対のリンクプレート３２，３３がアーム１の拡張部１３，１４の上端部で連結軸４によってそれぞれアーム１の半部１１，１２に回動可能に連結されている。【選択図】図１
2013059496.tif 000002
【特許請求の範囲】
【請求項１】
衣類の肩部を通すアームに折畳，展開を可能にする折畳構造が設けられ、アームの折畳状態を弾圧保持するバネ材と、アームの展開状態をロックするロック部材と、アームの折畳，展開の変位を案内するリンク部材とを備えたハンガーにおいて、アームは長さ方向の中央部で２つ割に切断され切断端部に長さ方向と直交する上下方向に延びた拡張部が設けられ、切断されたアームの半部は拡張部の下端部で共通の回転軸によって回動可能に連結され、リンク部材は支軸によって回動可能に連結された１対のリンクプレートがアームの拡張部の上端部で連結軸によってそれぞれアームの半部に回動可能に連結されていることを特徴とするハンガー。
【請求項２】
請求項１のハンガーにおいて、バネ材は回転軸に装着されてアームの切断端部を開くように弾圧するトーションコイルスプリングからなることを特徴とするハンガー。
【請求項３】
請求項１または２のハンガーにおいて、バネ材はリンク部材の支軸に装着されてリンクプレートを開くように弾圧するトーションコイルスプリングからなることを特徴とするハンガー。
【請求項４】
請求項１〜３のいずれかのハンガーにおいて、アームは展開状態で切断端面が接合されるものであることを特徴とするハンガー。
【発明の詳細な説明】
【技術分野】
【０００１】
本発明は、衣類を吊掛けるハンガーに係る技術分野に属する。
【背景技術】
【０００２】
ハンガーは、通常、アームに衣類の肩部を通して吊掛けるように構成されている。アームは、通された衣類の肩部がずれ落ちないように左右に大きく延びた形状とされている。このため、長尺のアームを衣類の胴部や首部を通過させて肩部に通すのが困難になってしまい、衣類の吊掛け作業が面倒になっているという状況がある。そこで、この状況の改善のために、アームに折畳，展開を可能にする折畳構造を設けることが試みられるようになってきている。
【０００３】
従来、アームに折畳構造が設けられたハンガーとしては、例えば、特許文献１に記載のものが知られている。
【０００４】
特許文献１には、衣類の肩部を通すアームに折畳，展開を可能にする折畳構造が設けられ、アームの折畳状態を弾圧保持するバネ材と、アームの展開状態をロックするロック部材と、アームの折畳，展開の変位を案内するリンク部材とを備えたハンガーが記載されている。
【０００５】
特許文献１に係るハンガーは、アームがバネ材によって常時折畳状態に保持されて、アームを衣類の胴部や首部を通過させて肩部に通すのを容易にする。そして、リンク部材がアームの折畳状態から展開状態へのバネ材の弾圧に抗した変位を正確に案内する。さらに、展開状態となったアームがロック部材によってロックされて、衣類の吊掛けを安定的に保持する。
【先行技術文献】
【特許文献】
【０００６】
【特許文献１】特許第３０２５４６０号公報
【発明の概要】
【発明が解決しようとする課題】
【０００７】
特許文献１に係るハンガーでは、アーム，リンク部材が５つの軸で連結組立てされているため、構造が複雑で製造コストが高いという問題点がある。
【０００８】
本発明は、このような問題点を考慮してなされたもので、アームに折畳構造が設けられているにもかかわらず、構造が簡素で製造コストの低いハンガーを提供することを課題とする。
【課題を解決するための手段】
【０００９】
前述の課題を解決するため、本発明に係るハンガーは、特許請求の範囲の各請求項に記載の手段を採用する。
【００１０】
即ち、請求項１では、衣類の肩部を通すアームに折畳，展開を可能にする折畳構造が設けられ、アームの折畳状態を弾圧保持するバネ材と、アームの展開状態をロックするロック部材と、アームの折畳，展開の変位を案内するリンク部材とを備えたハンガーにおいて、アームは長さ方向の中央部で２つ割に切断され切断端部に長さ方向と直交する上下方向に延びた拡張部が設けられ、切断されたアームの半部は拡張部の下端部で共通の回転軸によって回動可能に連結され、リンク部材は支軸によって回動可能に連結された１対のリンクプレートがアームの拡張部の上端部で連結軸によってそれぞれアームの半部に回動可能に連結されていることを特徴とする。
【００１１】
この手段では、アーム，リンク部材が４つの軸（回転軸，リンク部材の支軸，連結軸）で平行４節回転機構に連結組立てされる。
【００１２】
また、請求項２では、請求項１のハンガーにおいて、バネ材は回転軸に装着されてアームの切断端部を開くように弾圧するトーションコイルスプリングからなることを特徴とする。
【００１３】
この手段では、バネ部材としてトーションコイルスプリングを採用して折畳，展開の変位の主体であるアームに作用するように回転軸に装着している。
【００１４】
また、請求項３では、請求項１または２のハンガーにおいて、バネ材はリンク部材の支軸に装着されてリンクプレートを開くように弾圧するトーションコイルスプリングからなることを特徴とする。
【００１５】
この手段では、バネ部材としてトーションコイルスプリングを採用してアームの折畳，展開の変位を案内するリンク部材のリンクプレートに作用するように支軸に装着している。
【００１６】
また、請求項４では、請求項１〜３のいずれかのハンガーにおいて、アームは展開状態で切断端部が接合されるものであることを特徴とする。
【００１７】
この手段では、アームが展開状態で切断端部が接合されて一体化される。
【発明の効果】
【００１８】
本発明に係るハンガーは、アーム，リンク部材が４つの軸（回転軸，リンク部材の支軸，連結軸）で平行４節回転機構に連結組立てされるため、アームに折畳構造が設けられているにもかかわらず、構造が簡素で製造コストが低くなる効果がある。
【００１９】
さらに、請求項２として、バネ部材としてトーションコイルスプリングを採用して折畳，展開の変位の主体であるアームに作用するように回転軸に装着し、バネ部材の弾圧をアームに直接的に作用させるようにしているため、アームを確実に折畳状態に弾圧保持することができる効果がある。
【００２０】
さらに、請求項３として、バネ部材としてトーションコイルスプリングを採用してアームの折畳，展開の変位を案内するリンク部材のリンクプレートに作用するように支軸に装着し、バネ部材の弾圧をアームに間接的に作用させるようにしているため、バネ部材の弾圧でアームに無用の変形等が生ずるのを避けることができる効果がある。
【００２１】
さらに、請求項４として、アームが展開状態で切断端部が接合されて一体化されるため、衣類が吊掛けられたアームの捻れ等を防止することができる効果がある。
【図面の簡単な説明】
【００２２】
【図１】本発明に係るハンガーを実施するための形態の第１例の正面図であり、（Ａ）に折畳状態が示され、（Ｂ）に展開状態が示されている。
【図２】図１（Ｂ）の一部を切除した要部の分解斜視図である。
【図３】図１の要部（ロック部材）の拡大断面図であり、（Ａ）〜（Ｄ）にロックの前後の異なる状態が示されている。
【図４】図１の折畳，展開の変位を説明する簡略図である。
【図５】本発明に係るハンガーを実施するための形態の第２例の正面図である。
【図６】本発明に係るハンガーを実施するための形態の第３例の正面図である。
【発明を実施するための形態】
【００２３】
以下、本発明に係るハンガーを実施するための形態を図面に基づいて説明する。
【００２４】
図１〜図４は、本発明に係るハンガーを実施するための形態の第１例を示すものである。
【００２５】
第１例は、図１に示すように、アーム１，回転軸２，リンク部材３，連結軸４，ロック部材５，バネ材６，７，フック８の各部で構成されている。
【００２６】
アーム１は、衣類の肩部を通すことができるように長尺の湾曲体に形成され、長さ方向の中央部で２つ割に切断され、切断された半部１１，１２の切断端部に長さ方向と直交する上下方向に延びた拡張部１３，１４が設けられている。このアーム１は、製造コストの低減のために合成樹脂材の成形で製造されるが、軽量化と強度確保とのために断面コ字形に形成される。なお、半分１１，１２の切断端部付近は、図２に示すように、リンク部材３の連結のために開放されている。拡張部１３，１４の上部には、リンク部材３の連結のための連結軸４が挿通される軸孔１５，１６が穿孔されている。
【００２７】
回転軸２は、アーム１の拡張部１３，１４の下端部に設けられ、切断されたアーム１の両半部１１，１２を回動可能に連結している。この両半部１１，１２の回転中心となる共通の回転軸２については、半部１１，１２の一方に軸受構造を成形し、他方に軸を成形して嵌合させる等の製造手段を採ることができる。
【００２８】
リンク部材３は、上端部が共通の支軸３１で回転可能に連結された１対のリンクプレート３２，３３からなる。このリンクプレート３２，３３についても、図２に示すように、製造コストの低減のために合成樹脂材の成形で製造されるが、軽量化と強度確保とのために断面コ字形に形成される。なお、リンクプレート３２，３３の下端部には、連結軸４が挿通される軸孔３４，３５が穿孔されている。
【００２９】
連結軸４は、アーム１の拡張部１３，１４の上端部に設けられ、アーム１の半部１１，１２にリンク部材３の１対のリンクプレート３２，３３の下端部をそれぞれ回動可能に連結している。
【００３０】
ロック部材５は、図３に詳細に示されるように、リンク部材３のリンクプレート３２，３３に一方に設けられたロック体５１と他方に設けられたロック溝５２とからなる。ロック体５１は、リンク部材３のリンクプレート３２，３３の一方から他方に向けて突出された弾性片５１ａと、弾性片５１ａの先端部に設けられた突起部５１ｂとからなる。ロック溝５２は、リンク部材３のリンクプレート３２，３３の他方の一方寄りの壁面にロック体５１の突起部５１ｂが係合可能に穿孔されている。
【００３１】
バネ材６，７は、トーションコイルスプリングが採用されて２箇所に設けられている。
【００３２】
１つのバネ材６は、回転軸２に装着されてアーム１の切断端部を開くように両半部１１，１２を弾圧している。
【００３３】
他の１つのバネ材７は、リンク部材３の支軸３１に装着されて両リンクプレート３２，３３を開くように弾圧している。
【００３４】
フック８は、円弧形に形成され竿等に全体を吊下げるためのもので、リンク部材３の一方のリンクプレート３２が延長されて一体的に成形されている。
【００３５】
第１例によると、図４に示すように、アーム１，リンク部材３が４つの軸（回転軸２，リンク部材３の支軸３１，連結軸４）で平行４節回転機構に連結組立てされる。従って、アーム１に折畳構造が設けられているにもかかわらず構造が簡素であるため、製造コストが低くなる。
【００３６】
第１例は、通常時において、図１（Ａ）に示すように、バネ材６，７の相乗の弾圧によってアーム１の折畳状態（切断端部が開かれた状態）が保持される。１つのバネ部材６は、弾圧をアーム１に直接的に作用させるようにしているため、アーム１を確実に折畳状態に弾圧保持する。他の１つのバネ材７は、弾圧をアーム１に間接的に作用させるようにしているため、バネ部材７の弾圧でアーム１に無用の変形等が生ずるのを避けることができる。即ち、バネ材６，７の分散された弾圧でアーム１の折畳状態が有効に保持される。
【００３７】
このとき、バネ材６，７が２箇所に設けられているため、アーム１，リンク部材３の一部に弾圧が集中することがなく、アーム１，リンク部材３に無用の変形等が生ずることがない。
【００３８】
図１（Ａ）の状態では、全体が直線状を呈しているため、衣類の胴部や首部を容易に通過させることができる。
【００３９】
この後、図１（Ｂ）に示すように、リンク部材３の両リンクプレート３２，３３を外側から内側にバネ材６，７の弾圧に抗して押込むと、平行４節回転機構の原理からリンク部材３に案内されてアーム１の切断端部が接合されて半部１１，１２が一体化された長尺の湾曲体となって展開状態となる。
【００４０】
図１（Ｂ）の状態では、全体がハンガー本来の形状である逆Ｔ字状を呈する。従って、アーム１に衣類の肩部を通して吊掛けることができる。そして、アーム１には、通された衣類の肩部がずれ落ちないように左右に大きく延びた形状が確保される。
【００４１】
なお、図１（Ｂ）の状態は、図３（Ｃ）に示すように、ロック部材５のロック体５１，ロック溝５２の係合によるロックで保持される。従って、吊掛けられた衣類が不測にアーム１から脱落することはない。また、アーム１の切断端部が接合され一体化されているため、吊掛けられた衣類の荷重等でアーム１に捻れ等が生ずるのを防止することができる。
【００４２】
図１（Ｂ）のアーム１の展開操作では、図３（Ａ）〜（Ｃ）に示すように、ロック部材５のロック体５１の弾性片５１ａの弾性変形によって、ロック部材５のロック体５１，ロック溝５２の係合が自然に達成される。従って、特別なロック部材５のロック操作が不要である。
【００４３】
第１例を衣類から取外すには、図３（Ｄ）に示すように、ロック部材５のロック体５１の突起部５１ｂをリンク部材３の他方のリンクプレート３３内部に押込むことになる。この結果、バネ６，７の弾圧によってロック部材５のロックが解除されてアーム１が図１（Ａ）の折畳状態となるので、衣類の胴部や首部を容易に通過させて取外すことができる。
【００４４】
図５は、本発明に係るハンガーを実施するための形態の第２例を示すものである。
【００４５】
第２例は、第１例のリンク部材３の他方のリンクプレート３３の上端部を延長してフック８と相対する格好のレバー９を設けている。
【００４６】
第２例によると、フック８，レバー９を掴んで握るようにすることで、アーム１を展開操作することができる。
【００４７】
第２例のアーム１を展開操作は、リンク部材３の支持軸３１を支点とするてこの原理を利用することになるため、第１例に比してバネ材６，７に抗した操作が容易になる。
【００４８】
図６は、本発明に係るハンガーを実施するための形態の第３例を示すものである。
【００４９】
第３例は、第１例のアーム１の両端部に長さ方向にスライド可能なスライド部１７，１８を設けている。
【００５０】
第３例によると、アーム１の長さに可変性が備えられるため、肩部の形状，大きさの異なる各種の衣類に対応することができるようになる。
【００５１】
以上、図示した各例の外に、バネ材６，７を一方のみを備えるようにすることも可能である。
【符号の説明】
【００５２】
１   
アーム
１３，１４    拡張部
２            回転軸
３            リンク部材
３１          支軸
３２，３３    リンクプレート
４            連結軸
５            ロック部材
６，７        バネ材 
【図１】
2013059496.tif 000003
【図２】
2013059496.tif 000004
【図３】
2013059496.tif 000005
【図４】
2013059496.tif 000006
【図５】
2013059496.tif 000007
【図６】
2013059496.tif 000008